(57)【要約】      （修正有）【課題】データの秘密保持性及び安全性が向上し、他人に盗み取られなくなる通信用コネクタの係合構造を提供する。【解決手段】通信用コネクタの係合構造は、前端が当接部であると共に接続面１１２に連接され、接続面は少なくとも１つの弾性アーム１１３に連接され、弾性アームの下方には凸部材が設置される抜き取り防止部１１と、コの字型構造を呈するロック解除部１２と、抜き取り防止部及びロック解除部に接合され、孔の末端に弾性アームに対応する開口部が設けられる接合部１３とを備える。係合構造がコネクタ本体２０に結合されて通信用コネクタが形成されると共にプラグ３０に挿設されると、抜き取り防止部がプラグのジャック３１内に埋め込まれ、弾性アームがプラグ内の複数のボスに当接され、通信用コネクタがプラグから抜けなくなる。【選択図】図３
0003211535.tif 000002
【実用新案登録請求の範囲】
【請求項１】
前端は当接部であると共に接続面に連接され、前記接続面は少なくとも１つの弾性アームに連接され、且つこれら前記弾性アームの下方には凸部材が設置される抜き取り防止部と、
コ字型構造を呈するロック解除部と、
前記抜き取り防止部及び前記ロック解除部に接合され、且つ孔が設けられると共に前記孔の末端にはこれら前記弾性アームに対応する開口部が設けられる接合部とを備え、
係合構造がコネクタ本体に結合されて通信用コネクタが形成されると共にプラグに挿設されると、前記抜き取り防止部が前記プラグのジャック内に埋め込まれ、前記弾性アームが前記プラグ内の複数のボスに当接され、前記通信用コネクタが前記プラグから抜けなくなることを特徴とする、
通信用コネクタの係合構造。
【請求項２】
前記当接部と前記接続面との間には第一補強部を更に有し、これら前記弾性アームの下方には前記凸部材に連接される第二補強部を更に有することを特徴とする、請求項１に記載の通信用コネクタの係合構造。
【請求項３】
前記抜き取り防止部は前記ジャックの方向に延伸され、前記抜き取り防止部の弾性アームは前記ロック解除部の方向に延伸されることを特徴とする、請求項１に記載の通信用コネクタの係合構造。
【請求項４】
前記ロック解除部は直立板と、横板と、２枚の側板、２つのフック部と、２つのストッパーとを備え、前記直立板は前記横板の上方に垂直に設置され、且つ前記直立板の底部には穴が設けられ、前記穴は前記接合部に設けられる孔に対応させ、前記横板はこれら前記側板の間に設置されると共にこれら前記側板に連接され、これら前記フック部及びこれら前記ストッパーは全てこれら前記側板の下方に連結されることを特徴とする、請求項１に記載の通信用コネクタの係合構造。
【請求項５】
前記直立板と前記横板との連接箇所には少なくとも１つの補強部材が更に設置されることを特徴とする、請求項４に記載の通信用コネクタの係合構造。
【請求項６】
前記コネクタ本体は導線の一端を被覆させ、且つ前記コネクタ本体の前端の上方には凸部を有し、前記コネクタ本体の後端の下方にはフック部及びストッパーを有し、前記係合構造が前記コネクタ本体に結合されると、前記ロック解除部のフック部及びストッパーが前記コネクタ本体のフック部及びストッパーに係合され、前記ロック解除部の横板及び側板により前記コネクタ本体の上面及び側面がそれぞれ被覆され、且つ前記抜き取り防止部の前端の当接部が前記凸部に当接されることを特徴とする、請求項４に記載の通信用コネクタの係合構造。
【請求項７】
前記係合構造及び前記コネクタ本体は一体成形されることを特徴とする、請求項１乃至６の内の何れか１項に記載の通信用コネクタの係合構造。
【請求項８】
ロック解除装置を更に有し、前記ロック解除装置は前記弾性アームの下方の凸部材を集中させて前記弾性アームの前記ボスに対する当接を解除させ、前記通信用コネクタが前記プラグから抜けることを特徴とする、請求項１に記載の通信用コネクタの係合構造。
【請求項９】
前記ロック解除装置の一端には少なくとも１つの延伸アームを有し、且つこれら前記延伸アームの端部の内側には傾斜面が設けられ、これら前記延伸アームの傾斜面がこれら前記弾性アームの下方の凸部材に当接されると、これら前記弾性アームのこれら前記ボスとの当接が解除され、前記通信用コネクタが前記プラグから抜けることを特徴とする、請求項８に記載の通信用コネクタの係合構造。
【請求項１０】
前記ロック解除装置には穴が更に設けられることを特徴とする、請求項９に記載の通信用コネクタの係合構造。
【請求項１１】
前記ロック解除装置は収容空間を更に有することを特徴とする、請求項８乃至１０の内の何れか１項に記載の通信用コネクタの係合構造。
【考案の詳細な説明】
【技術分野】
【０００１】
本考案は、通信用コネクタの係合構造に関し、より詳しくは、プラグに挿設された後に対応するロック解除装置を使用しなければプラグから抜けなくなる、各種のＬＣコネクタまたはＲＪコネクタに適用可能な通信用コネクタの係合構造に関する。
【背景技術】
【０００２】
従来の通信用コネクタの構造は、通常弾性アームを有し、通信用コネクタがプラグに挿設された後、弾性アームがプラグのジャック中のボスに当接される。通信用コネクタをプラグから抜く場合、弾性アームを圧下してボスとの当接を解除させ、通信用コネクタをプラグから抜く。
【考案の概要】
【考案が解決しようとする課題】
【０００３】
しかしながら、従来の通信用コネクタの弾性アームは通信用コネクタが日常的に挿脱されるため、弾性アームが弾性疲労を引き起こし、プラグのボスとの当接機能が失われる。また、長時間過度に使用すると、弾性アームが断裂してプラグの凸部との当接機能が失われ、容易に抜けてしまう。
弾性アームが弾性疲労や断裂を生じた通信用コネクタは全て新しい通信用コネクタに交換せねばならず、時間がかかり、コストも高くつき、部材や時間を不要に浪費することになった。
【０００４】
また、従来の通信用コネクタの構造は、弾性アームがプラグのジャック中のボスに当接されるのみであり、通信用コネクタを誰でも簡単に挿脱できる。通信用コネクタがデータ伝送中に不用意に抜かれると、接続が中断されて伝送が中止されてしまう。故に抜き取り防止効果を欠いている。或いは、許可なく通信用コネクタがジャックから抜かれてデータを盗み取られる恐れもあり、データの秘密保持性及び安全性も低い。
【０００５】
そこで、本考案者は上記の欠点が改善可能と考え、鋭意検討を重ねた結果、プラグに挿設された後に対応するロック解除装置を使用しなければプラグから抜けない通信用コネクタの係合構造を見出し、従来の技術の欠点を改善させ、産業上の実用性を高める。  
【０００６】
かかる従来の実情に鑑みて、本考案は、接合部により接合される抜き取り防止部及びロック解除部が設置され、且つ前記係合構造は前記ロック解除部がコネクタ本体に結合されることにより通信用コネクタが形成されると共にプラグに挿設され、前記係合構造の抜き取り防止部が前記プラグのジャック内に埋め込まれ、前記抜き取り防止部の弾性アームが前記プラグ内の複数のボスに当接される、通信用コネクタの係合構造を提供することを目的とする。
特殊な設計のロック解除装置を係合構造に挿入させなければ係合構造とプラグとの係合を解除できないため、通信用コネクタが勝手に抜き取られる危険を防止させ、データの秘密保持性及び安全性を高め、他人にデータを盗み取られなくする。本考案は従来の通信用コネクタの弾性アームが断裂や弾性疲労を生じた際に、弾性アームを代替させて従来の通信用コネクタに結合させるか、コネクタ本体と直接一体成形されて通信用コネクタが形成され、通信用コネクタが勝手に抜ける事態を防止させる。
【課題を解決するための手段】
【０００７】
上記目的を達成するための、本考案に係る通信用コネクタの係合構造の特徴は、前端は当接部であると共に接続面に連接され、前記接続面は少なくとも１つの弾性アームに連接され、且つこれら前記弾性アームの下方には凸部材が設置される抜き取り防止部と、コ字型構造を呈するロック解除部と、前記抜き取り防止部及び前記ロック解除部に接合され、且つ孔が設けられると共に前記孔の末端にはこれら前記弾性アームに対応する開口部が設けられる接合部とを備え、ここでは、係合構造がコネクタ本体に結合されて通信用コネクタが形成されると共にプラグに挿設されると、前記抜き取り防止部が前記プラグのジャック内に埋め込まれ、前記弾性アームが前記プラグ内の複数のボスに当接され、前記通信用コネクタが前記プラグから抜けなくなることを特徴とする。
【０００８】
上述の通信用コネクタの係合構造において、好ましくは、前記当接部と前記接続面との間には第一補強部を更に有し、これら前記弾性アームの下方には前記凸部材に連接される第二補強部を更に有する。
【０００９】
上述の通信用コネクタの係合構造において、好ましくは、前記抜き取り防止部は前記ジャックの方向に延伸され、前記抜き取り防止部の弾性アームは前記ロック解除部の方向に延伸される。
【００１０】
上述の通信用コネクタの係合構造において、好ましくは、前記ロック解除部は直立板と、横板と、２枚の側板、２つのフック部と、２つのストッパーとを備え、前記直立板は前記横板の上方に垂直に設置され、且つ前記直立板の底部には穴が設けられ、前記穴は前記接合部に設けられる孔に対応させ、前記横板はこれら前記側板の間に設置されると共にこれら前記側板に連接され、これら前記フック部及びこれら前記ストッパーは全てこれら前記側板の下方に連結される。
【００１１】
上述の通信用コネクタの係合構造において、好ましくは、前記直立板と前記横板との連接箇所には少なくとも１つの補強部材が更に設置される。
【００１２】
上述の通信用コネクタの係合構造において、好ましくは、前記コネクタ本体は導線の一端を被覆させ、且つ前記コネクタ本体の前端の上方には凸部を有し、前記コネクタ本体の後端の下方にはフック部及びストッパーを有し、前記係合構造が前記コネクタ本体に結合されると、前記ロック解除部のフック部及びストッパーが前記コネクタ本体のフック部及びストッパーに係合され、前記ロック解除部の横板及び側板により前記コネクタ本体の上面及び側面がそれぞれ被覆され、且つ前記抜き取り防止部の前端の当接部が前記凸部に当接される。
【００１３】
上述の通信用コネクタの係合構造において、好ましくは、前記係合構造及び前記コネクタ本体は一体成形される。
【００１４】
上述の通信用コネクタの係合構造において、好ましくは、ロック解除装置を更に有し、前記ロック解除装置は前記弾性アームの下方の凸部材を集中させて前記弾性アームの前記ボスに対する当接を解除させ、前記通信用コネクタが前記プラグから抜ける。
【００１５】
上述の通信用コネクタの係合構造において、好ましくは、前記ロック解除装置の一端には少なくとも１つの延伸アームを有し、且つこれら前記延伸アームの端部の内側には傾斜面が設けられ、これら前記延伸アームの傾斜面がこれら前記弾性アームの下方の凸部材に当接されると、これら前記弾性アームのこれら前記ボスとの当接が解除され、前記通信用コネクタが前記プラグから抜ける。
【００１６】
上述の通信用コネクタの係合構造において、好ましくは、前記ロック解除装置には穴が更に設けられる。
【００１７】
上述の通信用コネクタの係合構造において、好ましくは、前記ロック解除装置は収容空間を有する。
【考案の効果】
【００１８】
本考案は、対応するロック解除装置を使用しなければプラグから抜けない通信用コネクタの係合構造であるため、通信用コネクタが他人に勝手に抜き取られる危険を回避させ、データの秘密保持性及び安全性が高まり、他人に盗まれなくなる。
【図面の簡単な説明】
【００１９】
【図１】本考案の好ましい実施形態による通信用コネクタの係合構造及びその対応されるコネクタ本体及びプラグを示す外観斜視図である。
【図２】本考案の好ましい実施形態による通信用コネクタの係合構造及びその対応されるコネクタ本体及びプラグの組み合わせ後を示す外観斜視図である。
【図３】本考案の好ましい実施形態による通信用コネクタの係合構造及びその対応されるコネクタ本体及びプラグを示す分解図である。
【図４】本考案の通信用コネクタの係合構造を示す外観斜視図である。
【図５】本考案の通信用コネクタの係合構造を示す断面図である。
【図６】図２のＡ−Ａ線に沿う断面図である。
【図７】本考案の通信用コネクタの係合構造及びその対応されるコネクタ本体及びプラグの組み合わせ後、ロック解除装置によるロック解除を示す外観斜視図である。
【図８】図７がロック解除装置によるロック解除前を示す上面図である。
【図９】図７がロック解除装置によるロック解除を行う際の上面図である。
【図１０】本考案の通信用コネクタの係合構造のロック解除装置を他の角度から見た傾斜図である。
【図１１】本考案の他の実施形態による通信用コネクタの係合構造を示す外観斜視図である。
【図１２】本考案の他の実施形態による通信用コネクタの係合構造を他の角度から見た傾斜図である。
【図１３】本考案の他の実施形態による通信用コネクタの係合構造を示す断面図である。
【考案を実施するための形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００２１】
まず、図１〜１３を参照しながら、本考案の実施形態をさらに詳しく説明する。本考案の通信用コネクタの係合構造１０は、前端は当接部１１１であると共に接続面１１２に連接され、前記接続面１１２は少なくとも１つの弾性アーム１１３に連接され、且つこれら前記弾性アーム１１３の下方には凸部材１１４が設置される抜き取り防止部１１と、コの字型構造を呈するロック解除部１２と、前記抜き取り防止部１１及び前記ロック解除部１２に接合され、且つ孔１３１が設けられると共に前記孔１３１の末端にはこれら前記弾性アーム１１３に対応する開口部１３２が設けられる接合部１３とを備える。
また、前記抜き取り防止部１１を接続したいプラグのジャックの方向に延伸させる場合、前記抜き取り防止部１１の弾性アーム１１３は前記ロック解除部１２の方向に延伸させる（図１乃至図５参照）。
【００２２】
前記ロック解除部１２は直立板１２１と、横板１２２と、２枚の側板１２３と、２つのフック部１２４と、２つのストッパー１２５とを備える。
前記直立板１２１は前記横板１２２の上方に垂直に設置され、且つ前記直立板１２１の底部には穴１２１１が設けられる。前記穴１２１１は前記接合部１３に設けられる孔１３１に対応させ、前記横板１２２はこれら前記側板１２３の間に設置されると共にこれら前記側板１２３に連接される。これら前記フック部１２４及びこれら前記ストッパー１２５は全てこれら前記側板１２３の下方に連結される。また、前記直立板１２１と前記横板１２２との連接箇所には少なくとも１つの補強部材１２１２が更に設置され、これら前記補強部材１２１２により前記直立板１２１と前記横板１２２との連接が補強される。
【００２３】
前記コネクタ本体２０は導線の一端を被覆させ、且つ前記コネクタ本体２０の前端の上方には凸部２１を有し、前記コネクタ本体２０の後端の下方にはフック部２２及びストッパー２３を有する。
前記係合構造１０が前記コネクタ本体２０に結合されると、前記ロック解除部１２のフック部１２４及びストッパー１２５が前記コネクタ本体２０のフック部２２及びストッパー２３に係合され、前記ロック解除部１２の横板１２２及び側板１２３により前記コネクタ本体２０の上面及び側面がそれぞれ被覆され、且つ前記抜き取り防止部１１の前端の当接部１１１が前記コネクタ本体２０の凸部２１に当接される。
【００２４】
図６は本考案に係る通信用コネクタの係合構造及び対応するコネクタ本体がプラグに設置される断面図である。前記係合構造１０が前記コネクタ本体２０に結合されて通信用コネクタ１が形成されると共に対応するプラグ３０のジャック３１に挿設されると、前記抜き取り防止部１１が前記プラグ３０のジャック３１内に埋め込まれ、前記弾性アーム１１３が前記プラグ３０内の複数のボス３２に当接され、前記通信用コネクタ１が前記プラグ３０から抜けなくなる。
【００２５】
図７乃至図９に示すように、通信用コネクタ１をプラグ３０のジャック３１から抜く場合、ロック解除装置４０を前記係合構造１０に挿入させ、前記ロック解除装置４０が前記弾性アーム１１３の下方の凸部材１１４を集中させ、前記弾性アーム１１３の前記ボス３２に対する当接を解除させ、これにより前記通信用コネクタ１が前記プラグ３０から抜けるようになる。
前記ロック解除装置４０の一端には少なくとも１つの延伸アーム４１を有し、且つこれら前記延伸アーム４１の端部の内側には傾斜面４１１が設けられる。これら前記延伸アーム４１が前記直立板１２１の底部の穴１２１１から前記接合部の孔１３１に挿入されると共にこれら前記開口部１３２から突出されると、これら前記延伸アーム４１の傾斜面４１１がこれら前記弾性アーム１１３の下方の凸部材１１４に当接され、且つこれら前記凸部材１１４が内に向けて圧搾され（図９参照）、これによりこれら前記弾性アーム１１３がこれら前記ボス３２との当接を解除させ、前記通信用コネクタ１が前記プラグ３０から抜けるようになる。
【００２６】
このほか、図１０に示すように、前記ロック解除装置４０は前記延伸アーム４１の他端に対して穴４２が更に設けられる。使用者が前記ロック解除装置４０をキーリング等の物品に結合させると、前記ロック解除装置４０を紛失する危険性が低下する。
最後に、前記延伸アーム４１は尖っているため、前記延伸アーム４１には保護用カバー４４が覆設され、使用者が前記ロック解除装置４０を使用してロック解除を行う場合、前記保護用カバー４４を取り外し、前記ロック解除装置４０が有する収容空間４３内に置いて、前記保護用カバー４４を紛失しないようにする。
【００２７】
上述の実施形態において、前記係合構造１０は前記コネクタ本体２０に取り外し可能に装設されるが、他の実施形態においては、前記係合構造１０が前記コネクタ本体２０と一体成形される。
【００２８】
最後に、図１１乃至図１３は本考案に係る通信用コネクタの係合構造の他の実施形態を図示する。前記当接部１１１と前記接続面１１２との間には第一補強部１１５を更に有し、これら前記弾性アーム１１３の下方には前記凸部材１１４に連接される第二補強部１１６を更に有する。
前記第一補強部１１５によりこれら前記弾性アーム１１３の底部がより強固になり、前記第二補強部１１６により前記ロック解除装置４０の延伸アーム４１がこれら前記弾性アーム１１３に挿入されることでこれら前記弾性アーム１１３が上に向けて折り曲げられる事態の発生を防ぐ。
【００２９】
上述したように、本考案に係る通信用コネクタの係合構造は、接合部により接合される抜き取り防止部及びロック解除部が設置され、且つ前記係合構造は前記ロック解除部及びコネクタ本体が結合されることにより通信用コネクタが形成されると共にプラグに挿設されると、前記係合構造の抜き取り防止部が前記プラグのジャック内に埋め込まれ、前記抜き取り防止部の弾性アームが前記プラグ内の複数のボスに当接され、特殊な設計のロック解除装置を係合構造に挿入させねば係合構造及びプラグの係合が解除不能になり、通信用コネクタが勝手に抜き取れなくなり、データの秘密保持性及び安全性が高まり、他人に盗まれなくなる。
本考案は従来の通信用コネクタの弾性アームが断裂や弾性疲労を発生させた際に、弾性アームを代替させて従来の通信用コネクタに結合されるか、コネクタ本体と直接一体成形されて通信用コネクタを形成させ、通信用コネクタが勝手に抜き取られる事態を防止させる。
【００３０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１        通信用コネクタ
１０      通信用コネクタの係合構造
１３      接合部
１１      抜き取り防止部
１１１    当接部
１１２    接続面
１１３    弾性アーム
１１４    凸部材
１１５    第一補強部
１１６    第二補強部
２０      コネクタ本体
１２      ロック解除部
２１      凸部
２２      フック部
２３      ストッパー
１２１    直立板
１２１１  穴
１２１２  補強部材
１２２    横板
１２３    側板
１２４    フック部
１２５    ストッパー
３０      プラグ
３１      ジャック
３２      ボス
１３１    孔
１３２    開口部
４０      ロック解除装置
４１      延伸アーム
４１１    傾斜面
４２      穴
４３      収容空間
４４      保護用カバー
【図１】
0003211535.tif 000003
【図２】
0003211535.tif 000004
【図３】
0003211535.tif 000005
【図４】
0003211535.tif 000006
【図５】
0003211535.tif 000007
【図６】
0003211535.tif 000008
【図７】
0003211535.tif 000009
【図８】
0003211535.tif 000010
【図９】
0003211535.tif 000011
【図１０】
0003211535.tif 000012
【図１１】
0003211535.tif 000013
【図１２】
0003211535.tif 000014
【図１３】
0003211535.tif 000015